(57)【特許請求の範囲】
【請求項１】
上型内で形成した一方側格子と、下型内で形成した他方側格子を備え、一方側格子は他方側格子との間に位置するパーティングラインに続く一方側見込み壁からなっていると共に、他方側格子は一方側格子との間に位置するパーティングラインに続く他方側見込み壁からなり、一方側格子および他方側格子の見込み壁のいずれか一方の見込み壁あるいは相互に重なって接続する見込み壁同士が枠部をなし、枠部をなす見込み壁を除く一方側格子および他方側格子の見込み壁同士はすべてパーティングラインに沿って相互にずらして配置してあって交差部分でのみ相互に重なって接続していることを特徴とする建築用格子体。
【発明の詳細な説明】
【０００１】
【発明が属する技術分野】
本発明は、例えば、建物のバルコニーに用いられる建築用格子体に係わり、とくに、鋳造によって製作される建築用格子体に関するものである。
【０００２】
【従来の技術】
従来、上記した鋳造による建築用格子体は、上型および下型を型閉めした状態で各々に設けた溝同士を合わせて形成される格子状のキャビティーに溶湯を流し込んで製造され、この建築用格子体を形成する見込み壁は、通常、表面からパーティングラインを越えて裏面に連続している。
【０００３】
【発明が解決しようとする課題】
ところが、従来の建築用格子体において、格子の目を細かくする場合には、見込み壁を多く配置しなくてはならないことから、使用する材料が増える分だけ、重量が増加すると共に製品コストが上昇してしまうという問題があった。
【０００４】
また、従来の建築用格子体では、異なった意匠の建築用格子体を製造する場合には、その度、上型および下型の双方を製作する必要があり、多くの手間隙がかかってしまうという問題を有していた。
【０００５】
さらに、従来の建築用格子体において、格子の目が広い場合には、見込み壁の間に足を掛けて上りやすくなってしまうため、格子の目を細かくするなどといった安全性を重視したデザインに限られてしまう、すなわち、デザインが制約を受けてしまうという問題があり、これらの問題を解決することが従来の課題となっている。
【０００６】
【発明の目的】
本発明は、上記した従来の課題に着目してなされたもので、安全性を確保しつつ優れた外観意匠性を得ることができ、格子の目が細かくても重量の増加および製品コストの上昇が少なく抑えられ、加えて、意匠の変更に多くの手間隙がかかることのない建築用格子体を提供することを目的としている。
【０００７】
【課題を解決するための手段】
本発明の請求項１に係わる建築用格子体は、上型内で形成した一方側格子と、下型内で形成した他方側格子を備え、一方側格子は他方側格子との間に位置するパーティングラインに続く一方側見込み壁からなっていると共に、他方側格子は一方側格子との間に位置するパーティングラインに続く他方側見込み壁からなり、一方側格子および他方側格子の見込み壁のいずれか一方の見込み壁あるいは相互に重なって接続する見込み壁同士が枠部をなし、枠部をなす見込み壁を除く一方側格子および他方側格子の見込み壁同士はすべてパーティングラインに沿って相互にずらして配置してあって交差部分でのみ相互に重なって接続している構成としたことを特徴としており、この建築用格子体の構成を前述した従来の課題を解決するための手段としている。
【０００８】
本発明に係わる建築用格子体において、パーティングラインとは、鋳造時に上型および下型の合わせ面（見切り面）に沿って一方側格子と他方側格子との間に形成される線のことである。
【０００９】
【発明の作用】
本発明の請求項１に係わる建築用格子体において、枠部をなす見込み壁を除く一方側格子および他方側格子の見込み壁同士はすべてパーティングラインに沿って相互にずらして配置してあることから、従来とほぼ同じ量の材料で格子の目を細かくし得ることとなり、すなわち、重量の増加および製品コストの上昇を伴うことなく格子の目を細かくし得ることとなる。
【００１０】
また、一方側格子が上型内で形成され、他方側格子が下型内で形成されるので、上型および下型のうちのいずれかの型のみを他の型と取り替えれば、異なる意匠の建築用格子体となり得ることとなって、多くの手間隙をかけることなく意匠の変更がなされることとなる。
【００１１】
さらに、この建築用格子体をバルコニーに採用した場合、一方側格子および他方側格子のうちの内側に位置する格子の見込み壁の見込み方向寸法を小さく設定すれば、格子の目が細かくなっていることとも相俟って、バルコニーの内側において見込み壁の間に足を掛けることがほとんど不可能になり、したがって、安全性を重視したデザインにとらわれることがなくなって、デザインの自由度が広がることとなる。
【００１２】
【実施例】
以下、本発明を図面に基づいて説明する。
【００１３】
図１および図２は本発明に係わる建築用格子体の一実施例を示している。
【００１４】
図１に示すように、この建築用格子体１０は、上型１および下型２の見切り面３，３を境にして上型１内で形成した一方側格子１１と、下型２内で形成した他方側格子１２を備えており、一方側格子１１は他方側格子１２との間に位置するパーティングライン１３に続く複数の一方側見込み壁１４を互いに直交させてなっていると共に、他方側格子１２は一方側格子１１との間に位置するパーティングライン１３に続く複数の他方側見込み壁１５を互いに直交させてなっている。
【００１５】
この場合、図２に示すように、一方側格子１１および他方側格子１２の各々の端部に位置して相互に重なって接続する見込み壁１４Ａ，１５Ａが外枠（枠部）１６をなしており、この外枠１６となる見込み壁１４Ａ，１５Ａを除く一方側格子１１および他方側格子１２の見込み壁１４，１５同士はすべてパーティングライン１３に沿って格子の目が細かい矩形状になるようにして相互にずらして配置してあって、交差部分１７でのみ相互に重なって接続している。
【００１６】
この建築用格子体１０では、外枠１６となる見込み壁１４Ａ，１５Ａを除く一方側格子１１および他方側格子１２の見込み壁１４，１５同士がすべてパーティングライン１３に沿って相互にずらして配置してあるので、従来とほぼ同じ量の材料で格子の目を細かくし得ることとなり、その結果、重量を増加させたり製品コストを上昇させたりすることなく、格子の目を細かくし得ることとなる。
【００１７】
また、この建築用格子体１０では、一方側格子１１を上型１内で形成し、他方側格子１２を下型２内で形成するようにしているので、下型２のみを他の下型と取り替えて、図３に示すように、複数のリング状をなす他方側見込み壁２５を上下左右に並べてなる他方側格子２２を形成したり、図４に示すように、複数の他方側見込み壁３５を一方側見込み壁１４に対して略４５度傾けて配置してなる他方側格子３２を形成したりすれば、異なる意匠の建築用格子体２０，３０が得られることとなり、したがって、多くの手間隙をかけることなく意匠の変更がなされることとなる。
【００１８】
さらに、この建築用格子体１０では、例えば、バルコニーに採用した場合、図５に示すように、内側に位置する他方側格子４２の見込み壁４５の見込み方向寸法Ｌを建築用格子体１０における他方側格子１２の見込み壁１５の見込み方向寸法Ｌよりも小さく設定した建築用格子体４０とすれば、格子の目が細かくなっていることとも相俟って、バルコニーの内側において見込み壁４５の間に足を掛けることがほとんど不可能になり、したがって、安全性を重視したデザインにとらわれることがなくなって、デザインの自由度が広がることとなる。
【００１９】
本発明に係わる建築用格子体の詳細な構成は上記した実施例に限定されるものではない。
【００２０】
【発明の効果】
以上説明してきたように、本発明の請求項１に係わる建築用格子体では、上記した構成としたから、従来とほぼ同じ量の材料で格子の目を細かくすることができ、すなわち、格子の目を細かくしても重量の増加および製品コストの上昇が少なく抑えられ、また、意匠の変更に多くの手間隙がかかることがなく、加えて、安全性を確保しつつ優れた外観意匠性を得ることが可能であるという非常に優れた効果がもたらされる。
【図面の簡単な説明】
【図１】本発明に係わる建築用格子体の一実施例を示す上下の型から取り出した状態の部分斜視説明図である。
【図２】図１に示した建築用格子体の端部における断面説明図である。
【図３】本発明に係わる建築用格子体の他の意匠例を示す正面説明図である。
【図４】本発明に係わる建築用格子体のさらに他の意匠例を示す正面説明図である。
【図５】本発明に係わる建築用格子体の他方側格子における見込み壁の見込み方向寸法を小さくした場合の図２相当位置での断面説明図である。
【符号の説明】
１  上型
２  下型
１０，２０，３０，４０    建築用格子体
１１  一方側格子
１２，２２，３２，４２  他方側格子
１３  パーティングライン
１４  一方側見込み壁
１５，２５，３５，４５  他方側見込み壁
１６  外枠（枠部）
１７  交差部分
【図１】
0003558005.tif 000002
【図２】
0003558005.tif 000003
【図３】
0003558005.tif 000004
【図４】
0003558005.tif 000005
【図５】
0003558005.tif 000006